(57)【特許請求の範囲】
【請求項１】
撮像された多値化映像信号を記録媒体に記録可能なカメラであって、
上記多値化映像信号をＡ／Ｄ変換した多値化映像データを一時記憶する記憶手段と、
上記記憶手段から読み出された多値化映像データを２値化映像データに変換する２値化処理手段と、
上記多値化映像データと上記２値化映像データとを比較可能に表示する表示手段と、
上記比較結果に基づいて、所望する２値化映像データを出力可能な出力手段と、
を備えて成ることを特徴とするカメラ。
【請求項２】
上記カメラは、さらに、上記多値化映像データのうち２値化処理する領域を任意に設定可能な領域設定手段を有し、
上記２値化処理手段は、上記設定された領域に対して２値化処理を行うことを特徴とする請求項１に記載のカメラ。
【発明の詳細な説明】
【０００１】
【産業上の利用分野】
本発明は多値化映像データの２値化処理手段を有するカメラに関し、特に２値化映像データのモニタ機能及び出力機能を有するカメラに関する。
【０００２】
【従来の技術】
従来、ワードプロセッサやパソコン等の電子機器に映像信号データを取り込む場合には、イメージスキャナやビデオカメラ等の光電変換手段により得られた映像信号を、更に２値化した映像データとして取り込むのが一般的である。例えば、図９に示すように、イメージスキャナ２０１により得られる２値映像データとしてのシリアルデータをワードプロセッサ２０２が取り込み、プリンタ２０３を用いてプリントアウトする。また、図１０に示すように、ビデオカメラ２０４等の撮像手段で得られたアナログ信号を、２値化データ変換ユニット２０５で２値化データに変換してシリアルデータとしてワードプロセッサ２０２に送出する。ワードプロセッサ２０２からの画像信号がプリンタ２０３に供給されてプリントアウトされる。このとき、ビデオカメラ２０４から出力されるアナログビデオ信号はＴＶモニタ２０６上にモニタ表示される。
【０００３】
【発明が解決しようとする課題】
上述のように、従来はワードプロセッサ等の外部の電子機器に映像データを取り込むには、映像信号を２値化したデータとして電子機器に供給するように構成されていた。
しかしながら、映像情報の視覚的確認をする場合には、ワードプロセッサに設置されているディスプレイ（通常、液晶）上に表示された映像に基づくことになるが、ディスプレイ上の表示はドットが荒く、絵柄の確認しかできず、画質の確認は不可能である。この２値映像の画質の確認はプリンタ２０３によるプリントアウト後でなければ行えない。また、電子機器への映像データは、シリアルデータ転送されているが、シリアルデータ転送には時間がかかる。
【０００４】
そこで、本発明の目的は、多値化映像データと、該多値化映像データを２値化処理した２値化映像データとをカメラ本体の表示手段にて表示比較可能とするとともに、電子機器等の外部装置に上記２値化映像データの出力を可能とするカメラを提供することにある。
【０００５】
【課題を解決するための手段】
前述の課題を解決するため、本発明によるカメラは、撮像された多値化映像信号を記録媒体に記録可能なカメラであって、上記多値化映像信号をＡ／Ｄ変換した多値化映像データを一時記憶する記憶手段と、上記記憶手段から読み出された多値化映像データを２値化映像データに変換する２値化処理手段と、上記多値化映像データと上記２値化映像データとを比較可能に表示する表示手段と、上記比較結果に基づいて、所望する２値化映像データを出力可能な出力手段と、を備えて成ることを特徴とする。また、上記カメラは、さらに、上記多値化映像データのうち２値化処理する領域を任意に設定可能な領域設定手段を有し、上記２値化処理手段は、上記設定された領域に対して２値化処理を行うことを特徴とする。
【０００６】
【作用】
本発明では、多値化映像データと、該多値化映像データを２値化処理した２値化映像データとをカメラ本体のモニタ上に表示して比較することにより、２値化映像データの画質確認を可能とし、画質確認後に、所望する２値化映像データのみを外部装置に出力することを可能にしている。
【０００７】
【実施例】
次に、本発明の実施例について図面を参照しながら説明する。
図１は、本発明によるカメラの一実施例を示す構成ブロック図である。
本発明は、図２にその基本構成を示すように、カメラ１００によりＴＶモニタ１１０表示用の映像信号と、ワードプロセッサ１２０転送用の２値化されたシリアルデータとを生成、出力するように構成されている。
【０００８】
図１を参照すると、光学系を介して結像された被写体像は、ＣＣＤ等の個体撮像素子１で電気的映像信号に変換されて撮像プロセス部２に供給される。撮像プロセス部２で周知の処理（γ補正等）が施された信号は、Ａ／Ｄコンバータ３に出力される。Ａ／Ｄコンバータ３の出力は、撮像プロセス部２からの信号がデジタル信号に変換されたフレームメモリ４への書き込みデータとして供給される。
【０００９】
フレームメモリ４に記憶された映像データは、スイッチ６の端子６Ａを介してそのままＩＣメモリカード等の記録媒体７に記録される。記録媒体７に記録するコマ枚数を増やしたいときには、フレームメモリ４から読み出された映像データに対して圧縮伸長部５で圧縮処理を施して得られる圧縮データがスイッチ６の端子６Ｂを介して記録媒体７に送出され記録される。
【００１０】
再生時には、記録媒体７から読み出された映像データは、スイッチ６の端子６Ａまたは６Ｂを介して、そのまま、または伸長処理が施されてフレームメモリ４に一時記憶される。フレームメモリ４に一時記憶された映像データは、読み出された後、スイッチ９の端子９Ｂを介してＤ／Ａコンバータ１０に供給される。Ｄ／Ａコンバータ１０からの変換出力であるアナログ信号は、同期付加部１１において、同期信号発生部１５から供給される同期信号が付加されて、ビデオ出力端子（ビデオＯＵＴ）に出力されるとともに、ＥＶＦ（電子ビューファイダー）１２に出力されてモニタ表示が為される。尚、上記ビデオ出力端子やＥＶＦ１２への映像信号の出力は、フレームメモリ４を経ずに、Ａ／Ｄコンバータ３からの撮像中の映像信号を、スイッチ９の端子９ＡとＤ／Ａコンバータ１０及び同期付加部１１を介して直接出力することもできる。
【００１１】
ディザ処理部８は、ＣＰＵ１３からの制御信号と同期信号発生部１５からの読み出しタイミングに基づいて制御され、フレームメモリ４から読み出された映像データに対して後述するような所定のディザマトリクス処理を施して２値の映像データに変換し、スイッチ９の端子９Ｃを介してＤ／Ａコンバータ１０に送出して映像信号として出力するとともに、ディザシリアル出力端子（ディザシリアルＯＵＴ）に供給する。
【００１２】
メモリコントローラー１４は、ＣＰＵ１３からの制御を受けた記録タイミングで、また同期信号発生部１５からのビデオレートでの映像信号読み出しのための同期信号に基づいてフレームメモリ４への映像データの書き込み及び読み出しを制御する。
【００１３】
領域設定スイッチ１６はディザ処理を行う領域を設定するためのスイッチで、設定情報がＣＰＵ１３に送出され、ＥＶＦ１２上に表示される設定領域が制御される。モード設定スイッチ１７は、カメラの記録／再生条件を設定するためのもので、設定情報がＣＰＵ１３に供給される。トリガスイッチ１８は、ＥＶＦ１２上に表示されるモニタ画像（動画）をユーザがモニタし、静止画として記録したいタイミングをＣＰＵ１３に知らせるタイミング信号を出力する。
【００１４】
本実施例では、領域を限定することでディザ化し、階調を出す。ディザ化領域の例としては、図３（Ａ）と（Ｂ）に示すように左上部と中央部等任意に設定できる。
【００１５】
ディザ処理部８におけるディザ処理として、本実施例では４×４のディザマトリクスを用いる。この場合、１画素８ビットのデータを１ビット４×４のディザマトリクス化すると、１画素につき４×４のドットでモニタ上に表示する必要がある。モニタ上で２値画像の画質が正確にわかるように、この表示は正確に行う必要があり、ディザ化するデータはフレームメモリのフル画面データとせず、１／４の画面領域について行う。本実施例では、ディザマトリクスは、２n×２nで規定され、任意であり、ｎが大きくなるにつれてモニタ表示の倍率を大きくして画質を保持することになる。
【００１６】
図４と５には、本実施例におけるディザマトリクスのモニタ表示例が示され、水平４画素、垂直２ラインが水平対垂直画素比が１対１に対応するので、例えば、奇数フィールドラインのように１ライン毎にディザマトリクス化し、水平方向は４画素毎にデータを取る。したがって、水平方向は２画素で１ドット表示し、４×４ディザマトリクス表示領域は、図５に示すように、８画素×４ラインの領域となる。ここで、本実施例では、ＣＣＤとしてフィールド蓄積型を用いているので、奇又は偶フィールド情報のうち一方のフィールド情報を用いてディザ化しても画質に影響はない。
【００１７】
図６には、図１におけるメモリコントローラー１４の構成例が示されている。ＣＰＵ１３からの記録／再生指令を受けて、モード判別回路１４５が動作モードを判別し、カウンタ選択回路１４４は、この判別結果に基づいて、アドレスカウンタ１４１のビデオレートの記録再生時又は記録媒体７とのデータ転送時のいずれかのカウンタを選択する。アドレスカウンタ１４１は、外部から供給されるクロックでカウント動作し、リセット回路１４２から供給される水平同期信号ＨＤや垂直同期信号ＶＤに同期し、モード判別回路１４５からの判別信号により制御されるリセット信号でスタートポイントが指定されるとともに、アドレスセット回路１４３からのアドレスセット信号により読み出しポイントが制御される。メモリアドレス信号が、フレームメモリ４に出力される。
【００１８】
ＣＰＵ１３から送出される領域設定スイッチ１６からの設定情報に対応する設定領域情報は、ディザ領域選択回路１４６に供給され、アドレスセット回路１４３を制御する。ライトイネーブル制御回路１４７、アウトプットイネーブル制御回路１４８及びチップセレクト制御回路１４９は、モード判別回路１４５からの判別結果信号とアドレスカウンタ１４１からのアドレス信号に基づいて制御され、フレームメモリ４に対して、メモリライトイネーブル信号、メモリアウトプットイネーブル信号及びメモリチップセレクト信号をそれぞれ出力する。
【００１９】
ディザ処理部８の詳細な構成が図７に示されている。
フレームメモリ４から読み出された８ビットの映像データは、データの丸めこみ回路８１により、まず２５６階調データを１６階調に丸めこみ処理される。この丸めこみ処理は、単純に下桁ビットを削ることで実行することもできるし、画像データの階調の分布を見て削る階調を判定して丸めこみを行うこともできる。
【００２０】
ディザマトリクス選択回路８２は、丸めこまれた映像データに対して、階調に応じたディザマトリクスを選択し、ディザマトリクス発生回路８３からディザマトリクスを発生させる。２値画像保持メモリ８４は、ＣＰＵ１３からの制御の下、水平同期信号ＨＤや垂直同期信号ＶＤを受けるディザメモリコントローラ８５の制御を受け、得られた２値画像を保持する。こうして、保持された２値画像データは、ディザメモリコントローラ８５からの読み出し制御信号に応じて読み出され、ビデオアウトデータ作成回路８６に送出されるとともに、ディザシリアルデータとして出力される。ビデオアウトデータ作成回路８６は、８ビットのビデオアウトデータとして２値画像をモニタ等のために出力する。
【００２１】
図８には、図１の実施例構成の各モードと回路動作状態、外部出力状態及びスイッチ選択状態の関係が図示されており、撮像プロセス回路２、フレームメモリ４、圧縮伸長部５、記録媒体７及びディザ処理部８の各機能動作について示している。
【００２２】
記録モードには撮像スルー出力モード＃１、静止画データ圧縮記録モード＃２、静止画データ非圧縮記録モード＃３があり、撮像スルー出力モード＃１では撮像スルー出力で、スイッチ９の端子９Ａを介してモニタ系に撮像動画信号が出力される。また、静止画データ圧縮記録モード＃２では、フレームメモリ４から読み出されたデータは、圧縮されてスイッチ６Ｂを介して記録媒体７に記録されるとともに、Ａ／Ｄコンバータ３からのデータはスイッチ９Ａを介してＤ／Ａコンバータ１０でアナログ信号に変換され、モニタ系に撮像動画情報が表示される。更に、静止画データ非圧縮記録モード＃３では、フレームメモリ４から読み出されたデータは、圧縮されずにそのままスイッチ６の端子６Ａを介して記録媒体７に記録され、上記と同様に、スイッチ９の端子９Ａを介して撮像動画情報がモニタ系に表示される。
【００２３】
再生モードには、圧縮静止画データ再生モード＃４と非圧縮静止画データ再生モード＃５があり、モード＃４では記録媒体７から読み出された圧縮静止画データはスイッチ６の端子６Ｂを経て伸長処理され、フレームメモリ４に一時記憶され、スイッチ９の端子９Ｂを介してモニタ系にフレームメモリ４から読み出された再生静止画が表示される。非圧縮静止画データ再生モード＃５では、記録媒体７からスイッチ６の端子６Ａを介して読み出された非圧縮静止画データは、フレームメモリ４に一時記憶され、フレームメモリ４から読み出された再生静止画がスイッチ９の端子９Ｂを経由してモニタ系に出力される。
【００２４】
ディザ処理モードには、再生データディザ処理モード＃６、フレームメモリ記録ディザ処理モード＃７及びディザ２値画像再生モード＃８があり、再生データディザ処理モード＃６では、記録媒体から＃４、＃５のいずれかの再生モードでフレームメモリ４に一時記憶されたデータがフレームメモリ４から読み出され、ディザ処理部８でディザ処理されると同時に、再生静止画としてスイッチ９の端子９Ｂを介してモニタ系に出力される。このモードでは、ディザシリアル出力が得られる。フレームメモリ記録ディザ処理モード＃７では、撮像プロセス部２を介して映像データがフレームメモリ４に記憶され、フレームメモリ４から読み出されたデータがディザ処理されると同時にスイッチ９の端子９Ｂを介して静止画としてモニタ系に出力される。このとき、ディザシリアル出力も得られる。また、ディザ２値画像再生モード＃８では、ディザ処理データが２値画像データとしてスイッチ９の端子９Ｃを介してモニタ系に出力される。このときも、ディザシリアル出力が得られる。このように、＃６又は＃７と＃８を切り換えることで、２値画像データと２値化前の映像を簡単に比較することができる。
【００２５】
上述の如く、本実施例では、２値化映像と、２値化前の映像の両方を常にモニタ上に出力可能で、両映像の比較が可能となるだけでなく、多値化する映像領域を任意に設定できる。したがって、２値化したい画像データを２値化前の静止画として多数保存でき、ＴＶモニタ上で２値画像の画質確認が可能となり、画質確認後に、必要な２値映像のみをシリアルデータ転送でき、処理時間の無駄がなくなる。
【００２６】
【効果】
以上説明したように、本発明のカメラによれば、カメラ本体のモニタ上で２値化映像データの画質確認が可能となり、画質確認後に所望する２値化映像データのみを外部装置に出力することが可能となるため、データ出力に要する時間を大幅に短縮することができる。
【図面の簡単な説明】
【図１】本発明によるカメラの一実施例の構成ブロック図である。
【図２】本発明によるカメラの基本構成図である。
【図３】本発明の実施例におけるディザ化領域例を示す図である。
【図４】本発明の実施例におけるディザマトリクスのモニタ表示例を説明するための図である。
【図５】本発明の実施例におけるディザマトリクスのモニタ表示例を説明するための図である。
【図６】図１の実施例におけるメモリコントローラ１４の構成例を示す図である。
【図７】図１の実施例におけるディザ処理部８の構成例を示す図である。
【図８】図１の実施例における動作モードと各部の動作状態の関係を示す図である。
【図９】従来のワードプロセッサへの２値画像の取り込み装置の構成図である。
【図１０】従来のワードプロセッサへの２値画像の取り込み装置の他の構成図である。
【符号の説明】
１        ＣＣＤ                    ２        撮像プロセス部
３        Ａ／Ｄコンバータ          ４        フレームメモリ
５        圧縮伸長部                ６，９        スイッチ
７        記録媒体                  ８        ディザ処理部
１０      Ｄ／Ａコンバータ          １１      同期付加部
１２      ＥＶＦ                    １３      ＣＰＵ
１４      メモリコントローラー      １５      同期信号発生部
１６      領域設定スイッチ          １７      モード設定スイッチ
１８      トリガスイッチ            ８１      データ丸めこみ回路
８２      ディザマトリクス選択回路
８３      ディザマトリクス発生回路
８４      ２値画像保持メモリ
８５      ディザメモリコントローラ
８６      ビデオアウトデータ作成回路
１４１    アドレスカウンタ          １４２    リセット回路
１４３    アドレスセット回路        １４４    カウンタ選択回路
１４５    モード判別回路            １４６    ディザ領域選択回路
１４７    ライトイネーブル制御回路
１４８    アウトプットイネーブル制御回路
１４９    チップセレクト制御回路
【図１】
0003636208.tif 000002
【図２】
0003636208.tif 000003
【図３】
0003636208.tif 000004
【図４】
0003636208.tif 000005
【図５】
0003636208.tif 000006
【図６】
0003636208.tif 000007
【図７】
0003636208.tif 000008
【図８】
0003636208.tif 000009
【図９】
0003636208.tif 000010
【図１０】
0003636208.tif 000011